(57)【要約】【技術課題】  回転トルクを一定に設定することができ、部品点数が少なく、高さを任意に設定できるモニタースタンド用の回転ユニットを提供する。【解決手段】  回転ユニットは、モニター載置台１０３を上面に固定するポール２と、このポール２の下面に接して位置するアッパーブッシュ１０と、上面にアッパーブッシュ１０を一定の角度回転自在に載置する取付ベース２０と、この取付ベース２０の下面に接して位置するローアブッシュ３０と、このローアブッシュ３０の下面に接して位置するスプリング板４０と、このスプリング板４０に接して位置するバックプレート５０を固定ボルト６０を用いて一体的に組み付け、取付ベース２０を基台１００のベース板１０１上に固定して基台１００上においてモニター載置台１０３を回転自在に支持する。【選択図】        図  ４
2006227390.tif 000002
【特許請求の範囲】
【請求項１】
中心部に固定ボルトを締め込むための固定ねじ孔を形成すると共に、上面にモニター載置台を固定するための固定手段を設けて成る円環状のポールと、
前記ポールの下面に接して位置し、耐摩耗性を有する樹脂からなり、更に中心部には挿通孔が穿設されると共に、前記挿通孔の下面周囲にリブを形成して成る円板状のアッパーブッシュと、
前記アッパーブッシュの下面に接して位置し、前記アッパーブッシュのリブが挿通する径の貫通孔を中心に形成すると共に、モニタースタンドの基台側に固定するための固定手段を設けて成る円台状の取付ベースと、
前記取付ベースの下面に接して位置し、前記アッパーブッシュのリブが挿通する径の貫通孔を中心に形成して成る耐摩耗性を有する円板状の樹脂製ローアブッシュと、
前記ローアブッシュの下面に接して位置し、前記アッパーブッシュのリブが挿通する径の貫通孔を中心に形成し、前記ローアブッシュを前記取付ベースへ圧接するための円板状のスプリング板と、
前記スプリング板の下面に接して位置し、中心に前記アッパーブッシュの挿通孔の直径とほぼ同一の貫通孔が穿設された前記スプリング板を押さえるためのバックプレートと、  前記ポールの下面にアッパーブッシュを接して位置させると共に、このアッパーブッシュの下面に接して取付ベースを位置させ、更にこの取付ベースの下面にローアブッシュ及びスプリング板及びバックプレートを順に位置させたのち、このバックプレートの下方から貫通孔及びアッパーブッシュのリブを経由してポールの固定ねじ孔内にねじ込んで各部材を一体化し、併せて取付ベース上において、アッパーブッシュとポール及びこのポール上のモニター載置台を回転自在に形成する固定ボルトと、からなるモニタースタンド用回転ユニット。
【請求項２】
前記固定ボルトを固定ねじ孔に一定量ねじ込んだ時、前記アッパーブッシュのリブの先端を前記バックプレートの上面に当接させることにより、前記スプリング板の撓み量を規制して、その結果回転トルクを所望する値に設定できるように前記リブの長さを設定したことを特徴とする請求項１記載のモニタースタンド用回転ユニット。
【請求項３】
前記アッパーブッシュにおいて、リブの近傍の半径領域の肉厚を他の部位より僅かに薄く形成して薄肉部を設け、前記固定ボルトにて締め付けられた時、前記薄肉部の効果により前記アッパーブッシュが中央部において下方に引かれ、この反力で円周縁側全体が前記ポール側に変位するようにして密着性を増大させたことを特徴とする請求項１記載のモニタースタンド用回転ユニット。
【請求項４】
前記アッパーブッシュと前記取付ベースとの摺動面において、前記アッパーブッシュの摺動面に凸部を設ける一方、前記取付ベースの摺動面には開き角度が異なる円弧状の溝を円周方向に複数設け、組立時に前記突起を前記溝の何れかへ組み込むことにより、モニタースタンドの回転角度を選択できるように構成したことを特徴とする請求項１記載のモニタースタンド用回転ユニット。
【請求項５】
前記アッパーブッシュと取付ベース及び前記ローアブッシュと取付ベースの摺動面において、前記アッパーブッシュ及び前記ローアブッシュの摺動面に同軸状の円周溝と前記円周溝と交差する放射状の縦溝とを複数形成し、前記円周溝と前記縦溝とをグリス溜まりとして利用することにより、回転を円滑にすると共に、焼き付きを防止するように構成したことを特徴とする請求項１記載のモニタースタンド用回転ユニット。
【請求項６】
前記ポールは、押し出し成形方法により長尺に成形された円柱状の素材を所望するモニタースタンドの高さに応じて輪切りにしたものを使用することにより、モニタスタンドの高さを任意に設定できるように構成したことを特徴とする請求項１記載のモニタースタンド用回転ユニット。
【発明の詳細な説明】
【技術分野】
【０００１】
本発明は、薄型のテレビジョン受像器、ＰＤＰ、パソコン用モニター（以下「モニター」と称する）などを載置し、さらに手動で回転して使用者や聴視者に対して見やすい方向へ回転する構造（首ふり機構）をもつモニタースタンド用回転ユニットに関するものである。
【背景技術】
【０００２】
近年生活様式が変化し、モニターを見る位置が多様化している。そのため、モニターを適正位置に向ける様、回転機能を付加したモニタースタンドが利用されている。
従来用いられたモニタースタンドの回転支持機構として、特開平５−１２２６３８号公報に次のような構成のものが記載されている。その機構は、回転台に数個のコロを備え、テレビキャビネット側に回転レールを一体的に取り付け、回転に際しては、キャビネット内のブラウン管、基板、基板フレーム、キャビネットの自重などは前記回転レールより伝達され、コロを介し回転台により回転可能に支持した内容である。
しかし、この公知例の場合、前記機構をキャビネットの底面に設けるため、意匠的に制限され、また、コロが破損して回転に支障が出やすいなどの問題がある。
【０００３】
そこで、コロを使用しない回転機構が開発されており、その一例が特開２００４−５６６０６号公報に紹介されている。その機構は、任意形状の天板の固定を行うブラケット（上）と、前記ブラケット（上）と接し潤滑を行うスペーサ（上）と、前記スペーサ（上）と接し任意形状の底板の固定を行うブラケット（下）と、前記ブラケット（下）と接し潤滑を行うスペーサ（下）と、前記スペーサ（下）と接するワッシャーと、前記ワッシャーを前記スペーサ（下）に押し付けるバネと、前記バネと前記ブラケット（下）との間に配設される筒と、前記バネを固定するネジにより構成されている。
【０００４】
しかし、この公知例の場合、バネの押しつけ量について規制する機構がないため、回転トルクの設定が難しいと共に、ブラケット（上）とブラケット（下）は円錐形状であるため、回転台の高さを変えたい場合、新たにブラケット成形用の型が必要になり、他の回転台には転用できないという問題がある。
【特許文献１】特開平５−１２２６３８号公報
【特許文献２】特開２００４−５６６０６号公報
【発明の開示】
【発明が解決しようとする課題】
【０００５】
本発明の目的は、回転トルクを一定に設定することができると共に少ない部品で構成することができ、かつ、モニタースタンドの高さが変わっても容易に対応できるモニタースタンド用回転ユニットを提供することにある。
【課題を解決するための手段】
【０００６】
上記目標を達成するため、請求項１に記載の発明においては、中心部に固定ボルトを締め込むための固定ねじ孔を形成すると共に、上面にモニター載置台を固定するための固定手段を設けて成る円環状のポールと、
前記ポールの下面に接して位置し、耐摩耗性を有する樹脂からなり、更に中心部には挿通孔が穿設されると共に、前記挿通孔の下面周囲にリブを形成して成る円板状のアッパーブッシュと、
前記アッパーブッシュの下面に接して位置し、前記アッパーブッシュのリブが挿通する径の貫通孔を中心に形成すると共に、モニタースタンドの基台側に固定するための固定手段を設けて成る円台状の取付ベースと、
前記取付ベースの下面に接して位置し、前記アッパーブッシュのリブが挿通する径の貫通孔を中心に形成して成る耐摩耗性を有する円板状の樹脂製ローアブッシュと、
前記ローアブッシュの下面に接して位置し、前記アッパーブッシュのリブが挿通する径の貫通孔を中心に形成し、前記ローアブッシュを前記取付ベースへ圧接するための円板状のスプリング板と、
前記スプリング板の下面に接して位置し、中心に前記アッパーブッシュの挿通孔の直径とほぼ同一の貫通孔が穿設された前記スプリング板を押さえるためのバックプレートと、
前記ポールの下面にアッパーブッシュを接して位置させると共に、このアッパーブッシュの下面に接して取付ベースを位置させ、更にこの取付ベースの下面にローアブッシュ及びスプリング板及びバックプレートを順に位置させたのち、このバックプレートの下方から貫通孔及びアッパーブッシュのリブを経由してポールの固定ねじ孔内にねじ込んで各部材を一体化し、併せて取付ベース上において、アッパーブッシュとポール及びこのポール上のモニター載置台を回転自在に形成する固定ボルトと、からなることを特徴とするものである。
【０００７】
更に、請求項２に記載の発明においては、請求項１記載のモニタースタンド用回転ユニットにおいて、前記固定ボルトを固定ねじ孔に一定量ねじ込んだ時、前記アッパーブッシュのリブの先端を前記バックプレートの上面に当接させることにより、前記スプリング板の撓み量を規制でして、その結果回転トルクを所望する値に設定できるように前記リブの長さを設定したことを特徴とするものである。
【０００８】
更に、請求項３に記載の発明においては、請求項１記載のモニタースタンド用回転ユニットにおいて、前記アッパーブッシュにおいて、リブの近傍の半径領域の肉厚を他の部位より僅かに薄く形成して薄肉部を設け、前記固定ボルトにて締め付けられた締め付けた時、前記薄肉部の効果により前記アッパーブッシュが中央部において下方に引かれ、この反力で円周縁側全体が前記ポール側に変位するようにして密着性を増大させたことを特徴とするものである。
【０００９】
更に、請求項４に記載の発明においては、請求項１記載のモニタースタンド用回転ユニットにおいて、前記アッパーブッシュと前記取付ベースとの摺動面において、前記アッパーブッシュの摺動面に凸部を設ける一方、前記取付ベースの摺動面には開き角度が異なる円弧状の溝を円周方向に複数設け、組立時に前記突起を前記溝の何れかへ組み込むことにより、モニタースタンドの回転角度を選択できるように構成したことを特徴とするものである。
【００１０】
更に、請求項５に記載の発明においては、請求項１記載のモニタースタンド用回転ユニットにおいて、前記アッパーブッシュと取付ベース及び前記ローアブッシュと取付ベースの摺動面において、前記アッパーブッシュ及び前記ローアブッシュの摺動面に同軸状の円周溝と前記円周溝と交差する放射状の縦溝とを複数形成し、前記円周溝と前記縦溝とをグリス溜まりとして利用することにより、回転を円滑にすると共に、焼き付きを防止するように構成したことを特徴とするものである。
【００１１】
更に、請求項６に記載の発明においては、請求項１記載のモニタースタンド用回転ユニットにおいて、前記ポールは、押し出し成形方法により長尺に成形された円柱状の素材を所望するモニタースタンドの高さに応じて輪切りにしたものを使用することにより、モニタスタンドの高さを任意に設定できるように構成したことを特徴とするものである。
【００１２】
［作用］
モニタースタンド用回転ユニットを構成するポールの上面には、モニター載置台を取り付けるための手段として、ネジ孔があいており、任意な形状のモニター載置台をこのポール上に固定することが可能である。
アッパーブッシュの中心部に形成されたリブは、各部品の貫通孔を通すことにより各部品の軸合わせを容易に行うことができる。摺動面を構成するアッパーブッシュと取付ベースは、広い面で受けるため重量を分散でき円滑な回転を得ることができる。
【００１３】
また、アッパーブッシュの下面に形成したリブは、取付ベース、ローアブッシュ、スプリング板、の各貫通孔内に上方から通した時、その先端とバックプレートとの間に微細な隙間が生じる様にリブの高さが設定されている。固定ボルトは、バックプレート、アッパーブッシュのリブ内を経由してポールの固定ねじ孔へ締め付けることにより、各部品を一体化し、前記リブの先端とバックプレートの間の隙間分スプリング板をローアブッシュ側へ押し付けてバネ圧を発生させる。このバネ圧によって、回転トルクの規制を行うことができる。固定ボルトの締め付け量は、リブの先端とバックプレートとの間の隙間で決定されるので、スプリング板の撓み量は常に一定となる。したがって、組立時はバネ圧への影響を気にすることなくボルトの締め付けを行うことができる。
【００１４】
また、アッパーブッシュにおいて、リブに近接した半径領域の肉厚を、他の部位より僅かに薄くして薄肉部を設けた。その結果、回転ユニットを組み立てる際、固定ボルトで締め付けた時、リブの周囲の薄肉部が下方に引っ張り込まれ、アッパーブッシュが皿状に反り、この作用でアッパーブッシュの円周縁全体がポールの下面に密着する効果を得ることができる。この点、従来はアッパーブッシュの表面うねりのため、摺動部において円周縁部が均一に相手方へ密着されないことがあり、そのためアッパーブッシュの平面度については高い精度が必要であった。しかし、リブに近接した半径領域に、他の部位より僅かに薄くした薄肉部を設けたことにより、アッパーブッシュの円周縁部を均一にポールの下面に圧接することができる。この結果、必ずしもアッパーブッシュに高い平面加工精度を求める必要はなくなった。
【００１５】
また、摺動面における回転を円滑に、また、摩擦に対する耐久性（焼き付きをおこさない）を維持するために、アッパーブッシュと取付ベース、ローアブッシュと取付ベースの両摺動面にグリスを介在させているが、アッパーブッシュ及びローアブッシュ側の摺動面にそれぞれグリス溜まりを形成しておくことにより、グリスが摺動面全体に均一に塗布され長時間その状態を保つことができる。また、前記グリス溜りとして円周溝と縦溝とを形成しているので、グリスはこの溝の作用で面全体に均一に行き渡る。
また、ポールは、押し出し成形方法により形成された長尺の素材を輪切りして形成した成形品でるあるため、断面形状はどこを切断しても同一形状である。したがって、輪切りの幅を任意に設定することにより、モニターの載置高さに合わせてポールの高さを選択することができ、それ故、汎用性に富んだ回転ユニットを得ることができる。なお、固定ねじ孔については２次加工で形成する。
【発明の効果】
【００１６】
請求項１〜請求項６に記載された発明の効果は次の通りである。
本発明のモニタースタンド用回転ユニットは、
１．アッパーブッシュの下面中心部に形成されたリブは、各部品の挿通及び貫通孔を通す  ことにより、ローアブッシュを除く各部品の軸合わせを容易に行うことができるので、  ユニット部材の組み立てを簡単に行うことができる（請求項１）。
２．アッパーブッシュのリブの先端とバックプレート間に形成した隙間により、ボルトの  締め付け量を一定に規制できるので、回転トルクのバラツキが発生しない（請求項２）  。
３．固定ボルトを締め付けたとき、アッパーブッシュが皿状に変形するように構成したこ  とにより、アッパーブッシュの外周側とポールとの摺動部が均一に相手方へ密着し、滑  らかな回転が得られる（請求項３）。
４．アッパーブッシュの凸部と取付ベースの溝との組合せにより、モニターの回転角度を  任意に選択できる（請求項４）。
５．アッパーブッシュ及びローアブッシュの摺動面にグリス溜まりを設けたので、グリス  は摺動面全体に均一に行き渡り、円滑な回転や、耐久性を持続することができる（請求  項５）。
６．ポールは押し出し成形品を輪切り状に切断するだけなので、この輪切りの幅の設定に  より、各種モニタースタンドへの展開によるモニター載置の高さに対する対応を容易に  行え、汎用性が増す（請求項６）。
７．上記それぞれの効果の組合せにより、本発明の回転ユニットは汎用性に富んでおり、  最近普及の大型モニターを有するテレビ等、さまざまなモニタースタンドに用いること  ができる（請求項１〜６）。
【発明を実施するための最良の形態】
【００１７】
本発明に係るモニタースタンド用回転ユニットの基本的な形態は、組立を容易に行う事ができ、更に回転角度を回転ユニットを構成する部品の組合せで選ぶことができ、また、モニターを載置する高さを任意に選べるので、モニタースタンドのデザインが変わっても対応できる汎用性に富んだ回転ユニットであることを特徴とする。
次に、本発明の実施例を各図に基づいて詳細に説明する。
【実施例１】
【００１８】
請求項１〜請求項６に対応した実施例を説明する。
図１は本実施例の回転ユニットを組み込んだモニタースタンドにモニターを載置した状態の説明図、図２はモニタースタンドの完成斜視図、図３はモニタースタンドを分解した状態の斜視図である。
更にモニタースタンドについて説明すると、モニターＡは４５インチのＰＤＰモニターであり、１００はスタンド基台、１０１はスタンド基台１００の上面に取り付けられたベース板、１０２はベース板１０１の中央に形成され回転ユニットを突き出す開口穴、１０３はモニター載置台、１０４はモニター載置台１０３の両サイドに取り付けられたモニター受け、１０５、１０６、１０７は固定ねじである。モニターＡは、モニタースタンドにおけるモニター載置台１０３のフレーム１０４に掛ける様にして組み込まれている。モニタースタンドは回転角度（首振り角度）を４０度とした。
【００１９】
モニタースタンドの組立は、本発明による回転ユニット１を基台１００へ固定ねじ１０５により固定した後、ベース板１０１を基台１００へ組み込む。次にベース板１０１の開口穴１０２から僅かに突き出た回転ユニット１のポール２の上面に両端にフレーム１０４を取り付けたモニター載置台１０３をねじ１０６で固定することにより完成する。
【００２０】
次に、回転ユニット１について説明する。図４は回転ユニットの分解斜視図、図５（ａ）は組み立てを終えたユニット１の上面斜視図、（ｂ）は底面斜視図である。
図４を基づいて回転ユニット１を説明する。
回転ユニット１は、ポール２と、このポール２の下面に接して組まれるアッパーブッシュ１０と、このアッパーブッシュ１０の下面に接して組まれる取付ベース２０と、この取付ベース２０の下面に接して組まれるローアブッシュ３０と、このローアブッシュ３０の下面に接して組まれるスプリング板４０と、このスプリング板４０の下面に接して組まれるバックプレート５０と、前記アッパーブッシュ１０、取付ベース２０、ローアブッシュ３０、スプリング板４０、バックプレート５０をポール１０に組み付けて一体化する固定ボルト６０から成る。
【００２１】
更に詳しく先ずポール２について図６を基に説明する。材料はアルミニュウムを用い押し出し成形方法により円柱状に成形したものを輪切りカットして円環状に成形されている。この製法は、押し出した円筒形のアルミニュウム成形品を所望するモニターの載置の高さ合わせて切断したもので、このことにより、簡単にモニタースタンドの機種展開に回転ユニットは対応できる。上面には図６（ａ）に示す様に、任意の形状であるモニター載置台１０３をねじ１０６で固定するためのねじ孔３が形成されており、底部においては中心部に固定ボルト６０をねじ込むための雌ねじが刻設されたボルト固定ねじ孔４が形成されている。さらに底部には図６（ｂ）に示す様に、アッパーブッシュ１０における上面に形成された突起１１が挿入されるガイド孔５を形成し、突起１１とガイド孔６との係合でポール２とアッパーブッシュ１０が一体になって回転する作用を生む。なお、ボルト固定ねじ孔４、ガイド孔６についてはアルミ成形品を切断した後、２次加工となる。
【００２２】
次に、アッパーブッシュ１０について図７を基に説明する。樹脂材料は摩耗係数が小さく安定性に優れているポリアセタール（ＰＯＭ）樹脂を使用した。円板形状をしており上面側には図７（a）に示す様に突起１１が中心を挟んで２カ所対称的位置に形成されている。
また、アッパーブッシュ１０の下面側（取付ベースとの摺動面）には、図７（ｃ）に示す様に、同軸状の円周溝１２と円周溝１２と交差する放射状の縦溝１３とを複数形成している。円周溝１２と縦溝１３とはグリス溜まりとして利用することにより焼き付きを防止する。グリス溜まりの形状が横方向と縦方向とで構成されていることにより、グリスがまんべんなく摺動面に行き渡り、滑らかな回転を維持することができる。更に、下面においては中心部には固定ボルト６０が貫通する挿通孔１４が穿設されており、その挿通孔１４の周囲を囲むようにリブ１５が形成されている。リブ１５の高さは、取付ベース２０、ローアブッシュ３０、スプリング板４０等の貫通孔を通した後、図１３（ａ）に示す様に、リブ１５の先端１６とバックプレート５０間に１．５ｍｍの隙間Ｌが生じる様に設定されている。また、下面には取付ベース２０の上面に形成された回転角度制御用の溝２１に収まる凸部１７が一体的に形成されている。
【００２３】
取付ベース２０について図９を基に説明する。アルミダイキャストからなる取付ベース２０において上面には、回転ユニット１の回転角度制御を行う円弧状の溝２１が４本形成されている。溝２１の開き角度は、３０度、４０度、５０度、６０度と４種類形成され、その中から所望するスタンドの回転角度に応じて溝２１を選択して組み立てる。また、上面の表面精度は滑らかな回転を得るため、出来るだけ表面粗さが低い程望ましい。中央部にはアッパーブッシュ１０のリブ１５が挿通する貫通孔２２が穿設されている。
下面には、スタンドのベース板１０１へ回転ユニット１を固定するネジ１０５を締め付けるためのねじ孔２３が４カ所形成されている。
【００２４】
ローアブッシュ３０について図１０を基に説明する。ポリアセタール（ＰＯＭ）樹脂からなる円板状のローアブッシュ３０の上面側（取付ベース２０の裏面との摺動面）には、図１０（ａ）に示す様に、アッパーブッシュ１０と同様同軸状の円周溝３１と円周溝と交差する放射状の縦溝３２とをグリス溜まりとして複数形成している。さらに下面には、その円周縁３カ所に突起３３を設けているが、これは組立時、スプリング板４０及びバックプレート５０の位置決めとして利用する。また、中心部には、リブ１５が挿通する貫通孔３４が形成されている。
【００２５】
スプリング板４０について図１１を基に説明する。ステンレスを材料としたスプリング板４０は上面からみて３角形の折り曲げ部をもち、段差４１としている。この段差４１の撓みにより反発力が生じ、その力でアッパーブッシュ１０及びローアブッシュ３０を取付ベース２０へ押し付ける効果があり、その撓み量が回転トルクを制御する。段部４１を３角形に形成したことにより、円形や他の多角形に比べて柔軟性のある付勢を与えることができる。
また、円周縁には３カ所の切り欠き４２が形成されているが、ローアブッシュ３０の突起３３が入り込むことで位置規制される。さらに、中心部には、リブ１５が挿通する貫通孔４３が形成されている。
【００２６】
バックプレート５０ついて図１２を基に説明する。中心部にはリブ１５の内径とほぼ同一の貫通孔５１を形成し、リブ１５の先端１６をボルト貫通孔５１の周囲の平面で受けると共に、スプリング板４０をローアブッシュ３０に押し付ける役目を担う。また、円周縁には３カ所の切り欠き５２が形成されている。
【００２７】
次に、回転ユニットの組立方法について説明する。
先ず、アッパーブッシュ１０の下面側とローアブッシュ３０の上面側であるグリス溜まりを形成した面に粘性の高いグリスを塗布する。塗布する量は均一に軽く塗布すれば良い。塗布完了した後、図４に示す様にアッパーブッシュ１０の下面側を取付ベース２０の天面へ、ローアブッシュ３０の上面を取付ベース２０の裏面へ組み込む。この時、アッパーブッシュ１０の凸部１７を取付ベース２０の回転角度制御を行う４種類の円弧状の溝２１から例えば４０度回転角度用の溝を選択して挿入する。
【００２８】
次に、スプリング板４０、バックプレート５０を組み込んだ後、ポール２のガイド孔５とアッパーブッシュ１０の突起１１とを係合させてポール２とアッパーブッシュ１０を組み合わせる。この係合でポール２とアッパーブッシュ１０が一体になって回転する作用を生む。
さらに、固定ボルト６０を締め付けることにより、各部材を係合させるが、固定ボルト６０の締め付けを行う前は図１３（ａ）に示す如く、スプリング板４０の段部４１によりリブ１５の先端１６とバックプレート５０との間に隙間Ｌが生じている。しかし、図１３（ｂ）に示す様にボルト６０を締め付けることにより段部４１が撓み、その反発力でアッパーブッシュ１０とローアブッシュ３０とが取付ベース２０へ押し付けられ密着する。撓み量は隙間Ｌで決まるのでスプリング板４０が発する押しつけ力が規制され、回転ユニット１における回転トルクのバラツキが生じない。したがって固定ボルト６０を締め付ける時の締め付けトルクは、直接回転トルクへ影響しないので管理が容易になる。
【００２９】
また、図８（ａ）に示す様にアッパーブッシュ１０におけるリブ１５の外周部の半径領域の肉厚を他の部位より僅かに薄くして薄肉部１８を設けたので、回転ユニット１を組み立てる際、固定ボルト６０で締め付けられるため薄肉部１２が引っ張り込まれ、アッパーブッシュ１０が皿状に反る作用が生じ、アッパーブッシュ１０の円周縁全体がポール２に密着する。図８（ｃ）にその様子を理解できる様に誇張して説明している。本実施例において、薄肉レベルＰは０．５ｍｍとした。
以上、回転ユニット１の組立方法について説明した。回転を繰り返すとアッパーブッシュ１０へ塗布したグリスは溝１３に沿って外周へ向かって移行するが、円周溝１２のグリス溜まりの効果にてその不具合が生じず、滑らかな回転トルクを維持することができる。
【００３０】
図１３（ｂ）は、組み付けの終了した回転ユニット１をモニタースタンドに取り付けた状態を示すものであり、取付ベース２０上において、アッパーブッシュ１０、ポール２、モニター載置台１０３が４０°の範囲で回転する。
【図面の簡単な説明】
【００３１】
【図１】本発明に係る回転ユニットを用いたモニタースタンドと、このスタンドに載置されたモニターを示す斜視図
【図２】モニタースタンドの外観図
【図３】モニタースタンドと回転ユニットの組み合わせを示す分解斜視図
【図４】回転ユニットを構成する各部材の分解斜視図
【図５】回転ユニットを組み立てた状態を示すもので、（ａ）は斜め上方から見た図、（ｂ）は斜め下方から見た図
【図６】ポールを示すもので、（ａ）は斜め上方から見た図、（ｂ）は斜め下方から見た図
【図７】アッパーブッシュを示すもので、（ａ）は平面図、（ｂ）は側面図、（ｃ）は底面図、（ｄ）は斜め上方から見た図、（ｅ）は斜め下方から見た図
【図８】アッパーブッシュを示すもので、（ａ）は断面図、（ｂ）はリブと薄肉部の拡大断面図、（ｃ）は反った状態の説明図
【図９】取付ベースを示すもので、（ａ）は斜め上方から見た図、（ｂ）は斜め下方から見た図
【図１０】ローアブッシュを示すもので、（ａ）は斜め上方から見た図、（ｂ）は斜め下方から見た図
【図１１】スプリング板の説明図
【図１２】バックプレートの説明図
【図１３】回転ユニットを示すのもで、（ａ）は組み立て途中の説明図、（ｂ）は組み立て終了を示す断面図
【符号の説明】
【００３２】
１  ポール
１０  アッパーブッシュ
２０  取付ベース
３０  ローアブッシュ
４０  スプリング板
５０  バックプレート
６０  固定ボルト
【図１】
2006227390.tif 000003
【図２】
2006227390.tif 000004
【図３】
2006227390.tif 000005
【図４】
2006227390.tif 000006
【図５】
2006227390.tif 000007
【図６】
2006227390.tif 000008
【図７】
2006227390.tif 000009
【図８】
2006227390.tif 000010
【図９】
2006227390.tif 000011
【図１０】
2006227390.tif 000012
【図１１】
2006227390.tif 000013
【図１２】
2006227390.tif 000014
【図１３】
2006227390.tif 000015